(57)【要約】  本発明は、カードに関するものであり、カード（１０）は、それによってカード（１０）の主たる用途が実現される識別子（３）を含む。カードは、それが更に、カード（１０）上に位置し、太陽電池を含むソーラ・パネル（２）と、ソーラ・パネル（２）によって集められたエネルギーをカード外の装置に送信するインタフェース手段（２１、２２）とを含むことを特徴とし、それによってカード（１０）のソーラ・パネル（２）は、カードが前記主たる用途以外に、ソーラ・パネル（２）によって提供される電流供給をカード外の別の外部装置（４０）に転送するようにアレンジされた付加的用途を有することが許容される。更に、本発明は、電子装置用の電気エネルギーを送信するカード受容器（３０）およびシステムにも関する。
2009512005.tif 000002
【特許請求の範囲】
【請求項１】
カードであって、
−前記カード（１０）の主たる用途を実現させる認証手段（３）を含み、前記カード（１０）が更に、
−カード（１０）上に位置するソーラ・パネル（２）と、
−カード（１０）の前記ソーラ・パネル（２）がそれの主たる利用と異なる付加的な用途を有するような形で、前記ソーラ・パネル（２）によって集められたエネルギーをカード外の装置に送信するインタフェース手段であって、付加的用途は、ソーラ・パネル（２）によって提供される電気エネルギー供給をカード外の別の外部装置（４０）に転送するように構成されているインタフェース手段（２１、２２）と、
を含むことを特徴とするカード（１０）。
【請求項２】
請求項１に記載のカードであって、前記カード（１０）は、クレジット・カードのサイズであることを特徴とする前記カード。
【請求項３】
請求項１又は２のいずれかの項に記載のカードであって、前記カード（１０）の前記ソーラ・パネル（２）の面積および位置は、前記カードの認証手段（３）が利用できる形に構成されていることを特徴とする前記カード。
【請求項４】
請求項１から３のいずれかの項に記載のカードであって、前記カード（１０）の前記インタフェース手段（２１、２２）は、カードの主たる認証手段（３）と一緒に設けられていることを特徴とする前記カード。
【請求項５】
電子装置用の電気エネルギーを送信するカード受容器であって、カード受容器（３０）が、
ソーラ・パネルを備えたカードを受け入れる受容手段（２５）と、
カードによって提供されるインタフェース手段用の電気エネルギー供給を受け入れる受容手段（２３、２４）と、
カード受容器に接続された外部装置（４０）用の電流供給を提供する供給手段（３１、３２）と、
を含むことを特徴とする前記カード受容器。
【請求項６】
請求項５に記載のカード受容器であって、前記カード受容器（３０）は、更に電気エネルギーをカード受容器中に蓄える蓄積手段（３６、３７）を含むことを特徴とする前記カード受容器。
【請求項７】
請求項５又は６のいずれかの項に記載のカード受容器であって、前記カード受容器（３０）は、更に電気エネルギーの受電を制御する電気エネルギー制御ユニット（３５）を含むことを特徴とする前記カード受容器。
【請求項８】
請求項６又は７のいずれかの項に記載のカード受容器であって、前記カード受容器（３０）は、２枚以上のカードを受け入れるように構成されていることを特徴とする前記カード受容器。
【請求項９】
電子装置用の電気エネルギーを送信するシステムであって、前記システムは、電子装置に対して取り外し可能な形に取り付けられるカード受容器（３０）と、前記カード受容器（３０）にカード（１０）が取り付けられたときに、前記カード上のソーラ・パネル（２）によって集められたエネルギーが前記カード上のインタフェース手段（２１、２２）を介して前記カード受容器（３０）に送信され、そこから更に電気エネルギーが受容器に接続すべき外部装置（４０）に送信可能なように、前記受容器中に取り付けられた太陽電池を含む前記ソーラ・パネルを備えた１又は複数のカード（１０）と、を含むことを特徴とするシステム。
【請求項１０】
請求項９に記載のシステムであって、電子装置がカード受容器から取り外されたときに、前記カード受容器（３０）が蓄積手段（３５）に電気エネルギーを蓄えることを特徴とする前記システム。
【発明の詳細な説明】
【技術分野】
【０００１】
（発明の背景）
本発明は、光電子効果の結果として発生する電気エネルギーを電子装置に送信することに関するものであって、更に詳細には、カードおよびカード受容器に関するものであり、更に、電気エネルギーを送信するシステムの一部として識別カード又は類似カードを利用できるようにしたシステムに関する。
【背景技術】
【０００２】
光電子効果に基づく電気エネルギーの発生は、特に小型の携帯型電子装置にエネルギーを供給する有力な供給源と見られている。光電子効果に基づく電気エネルギーの発生は、ソーラ・パネルを用いて実現される。ソーラ・パネルは、１又は複数の太陽電池を含むことが知られている。更に、太陽とは異なる他の光源を用いてソーラ・パネルの光電池を稼働できることも一般に知られている。
【発明の開示】
【発明が解決しようとする課題】
【０００３】
ソーラ電気システムを含むチャージ・カード型のカードは、既知である。しかし、発生する電気エネルギーは、これらカード内部の機能的特性に役立つように消費される。更に、このようなシステム・カードの生産コストは、高い。
【０００４】
ＵＳ２００３０１９９４２は、太陽エネルギーを集めて蓄えるクレジット・カード・サイズの改良された装置を開示している。この文献では、エネルギーは、カードに含まれる電池に蓄えられ、のちにカード上で利用される。上述のシステムに付随する問題は、カードの物理的寸法が、それと一緒に配置されるべき電気蓄積のサイズを制限すること、および従って電気エネルギーを蓄えるために利用できる容量を制限することである。電気蓄積をカード上に配置することにより、カード製造コストも増大する。上述のカードは、カードの主要な１又は複数の利用目的だけに適しており、それは、１又は複数のものを含む。いくつかのカードにおいて、主たる用途は、ソーラ・システムによってサポートされる。しかし、このようなカードの活用は、それらの主要な用途に限定される。そのため、カードとこれらのソーラ・システムは、主要な用途が終了するとともに役に立たなくなる。例えば、カードの有効期限が切れると、カードは、役に立たなくなる。
【課題を解決するための手段】
【０００５】
（発明の簡単な説明）
従って本発明の１つの目的は、上述の問題を解決するように、システムと、システムを実現するカードおよびカード受容器を提供することである。本発明のこの目的は、独立項に提示されたものによって特徴付けられるシステム、カードおよびカード受容器で達成される。従属項は、本発明の好適な実施の形態に関する。
【０００６】
本発明は、光電子効果の結果として発生する電気エネルギーを携帯型電子システムに送信する装置に関するものであり、更に詳細には、そのようなシステムの一部としていわゆるクレジット・カード・サイズの識別カードを利用することに関する。更に、本発明は、電子装置を充電するカードおよびカード受容器に関する。
【０００７】
本発明の１つの目的は、携帯型電子装置を充電するためのカードを提供することである。本発明のカードの目的は、電子装置の充電を太陽エネルギーによって可能にすることであり、更に詳細には、例えばクレジット・カードのサイズのようなカード・サイズの太陽エネルギー・コレクタを用いて電気装置を充電することである。
【０００８】
本発明の第２の目的は、携帯型電子装置を充電するためのカード受容器を提供することである。本発明のこの目的のカード受容器は、ソーラ・パネルを有するカードと、それに接続されたインタフェース手段とを一緒に受け入れることができる。
【０００９】
本発明の第３の目的は、携帯型電子装置を充電するためのシステムである。
【発明を実施するための最良の形態】
【００１０】
本発明の１つの実施の形態は、カードの主たる使用用途によって組み込むことのできる認証手段を含むカードを提供することである。認証手段を含むカードは、例えば、チップを備えたクレジット又はチャージ・カード、ＥＭＶ（Ｅｕｒｏｐａｙ、ＭａｓｔｅｒＣａｒｄ、Ｖｉｓａ）を備えたチャージ・カードおよび／又はＰＫＩ（公開鍵インフラストラクチャ）認証、磁気トラック・カード、デュアル・インタフェース（接触式認証および無接触式認証）カード、カンパニ・カード、ＩＤカード、会員証カード、鍵カード、ボーナス・カード、テレフォン・カード又はＳＩＭ（加入者識別モジュール）、ＵＳＩＭ（汎用加入者識別モジュール）、ＵＩＣＣ（汎用集積回路カード）、ＩＳＩＭ（ＩＰマルチメディア・サービス識別モジュール）、Ｒ−ＵＩＭ（リムーバブル・ユーザ識別モジュール）、Ｗ−ＳＩＭ（Ｗｉｌｌｃｏｍ−ＳＩＭ）等を含むカードである。
【００１１】
ソーラ・パネルを備え、カード外の装置に電気エネルギーを供給するこれらのクレジット・カード・サイズのカードが共通に持つ特徴は、これらが少なくとも１つの主たる利用目的を有することである。認証手段は、カードのこの主たる使用目的に関連している。認証手段は、データを記憶し処理することに関連する機能的特性のほかに、能動的および／又は受動的認証特性を有する。これは、例えば、スマートおよびメモリ・カードのケースである。この文脈で、能動的認証特性は、カードおよび／又はそれのユーザを識別することを目的とした外部構成によって読出し可能な特性を意味する。外部構成は、自動電気システムおよび／又はユーザの駆動によって利用できる。このような識別子の例は、磁気トラック、バー・コード、ＲＦＩＤ、バイオＩＤ、スマート・チップおよびメモリ・チップを含む。他方、受動的識別子は、例えば、ホログラム、署名、エンボス加工、写真、会社ロゴ、商標およびカード表面に見える、あるいは、見るようにできる識別子を含む。
【００１２】
本発明の１つの目的の実施の形態は、いわゆるクレジット・カード・サイズであるカードを提供する。カードのサイズが一定でないことは、明らかである。ここで、クレジット・カード又は類似カードは、角を丸めた約８６ｍｍ×５４ｍｍ×１ｍｍのサイズの長方形カードである。クレジット・カードに関する１つの基準は、例えば、ＩＳＯ  ＣＲ−８０である。更に、クレジット・カード・サイズの多くのカードが上記の値から外れた境界寸法を有していながら、このサイズと同じように見える点は、注目される。
【００１３】
カードは、太陽放射を電気エネルギーに変換する１又は複数の太陽電池を含む。カード中での電気エネルギーの発生は、光電効果に基づくものであり、それを実現するために、直列および／又は並列に接続されてソーラ・パネルを形成する高効率の太陽電池が使用される。
【００１４】
カードがフラットな形状をしているため、ソーラ・パネルが、最も広い面積を有するこれらのカード表面に位置するのは、当然である。クレジット・カード型の既知のカードで、これらの表面には、従来、例えば磁気トラックやスマート・チップが設けられている。しかし、角を丸めた長方形カードのすべての表面にソーラ・パネルを設けることが可能である。カードの太陽電池によって１つの表面上に形成されるソーラ・パネルの面積は、最大限でこのカード表面のサイズに等しい。各々の特別なケースで光源とソーラ・パネルとの間の層材料が放射を通過させるものであれば、ソーラ・パネルをカードの内側層に配置することも可能である。これがカード上で光電効果を引き起こすための必要条件である。
【００１５】
実施にあたり、ソーラ・パネルは、カードがそれの主たる利用目的に使える形に配置され、寸法化されるべきである。例えば、磁気トラック・カードで、ソーラ・パネルは、磁気トラックの上又は下に配置され得る。それは、磁気トラックがカード裏面の全面積のほんの一部を覆うのみであるからである。いくつかの今日のカードは、空きの未使用部分を有する。本発明に従うカードは、カード面積のより効率的な利用を可能にする。
【００１６】
太陽電池を含む上述タイプのソーラ・パネルは、カード上に位置する。カードは、ソーラ・パネルによって集められたエネルギーをカード外の装置に送信するインタフェース手段を有することによって、カードのソーラ・パネルは、カードが上述の主たる用途と異なる付加的な用途を有することを可能にする。そのような付加的用途は、ソーラ・パネルによって提供される電気エネルギー供給をカードから離れた外部装置に転送するように構成されている。
【００１７】
１つの実施の形態に従えば、ソーラ・パネルのサポート構造として機能するカードは、インタフェース手段として接触面を有し、それを通して電気エネルギーがカード受容器に送信され、そこから更に携帯型電子標的装置に搬送されるようになっている。
【００１８】
光電効果の結果として、太陽電池で発生する電気エネルギーは、本発明の１つの実施の形態に従って、カードの表面構造に統合された認証要素を介してカード受容器に搬送される。カードから電気エネルギーを送信するために、例えば、スマートおよびメモリ・チップ、ホログラム識別子、署名面、エンボス加工、会社ロゴ、商標（例えば、ロゴ）およびバー・コードがインタフェースとして使用される。このように、識別子の導電性材料層又は材料が利用される。
【００１９】
本発明の１つの目的の実施の形態は、電子装置用の電気エネルギー送信のためのカード受容器を提供する。カード受容器は、太陽電池を含むソーラ・パネルを備えた少なくとも１枚のカードを受け入れる受容手段を含む。受容手段は、インタフェース手段のためにカードが提供する電気エネルギー供給を受けて、その供給手段がカード受容器に接続された外部装置のために電気エネルギー供給を提供する。カード受容器は、例えば、ホルダ、ケーシングおよび／又はディスプレイ・ベースでよい。上の説明の受容器には、ネック・バンド、ケーブル・リールおよび／又はクローズ・ファスナが接続される。前記解決策には、外部装置に適合したインタフェース機構を備えることが可能でなければならない。更に、カードと外部装置を取り外し可能なように接続する部品が、カードと同じ識別子又は識別子セットおよび同じコンタクト方式を含むことは、明らかである。
【００２０】
第２の実施の形態に従えば、カード受容器は、更に電気エネルギーをカード受容器中に蓄える蓄積手段を含む。
【００２１】
第３の実施の形態に従えば、カード受容器は、２枚又はそれ以上のカードを受け入れるように構成される。
【００２２】
アダプタなどのカード受容器は、電気エネルギーの供給を管理する手段を含む。アダプタは、当然ながら、それの一端を標的装置に接続可能である。しかし、カードの側では、インタフェースは、常に同じ種類であって、標準サイズの任意のクレジット・カード又は同様カードが利用可能である。本発明のカードの特性は、既存のカードに付加されることが望ましく、そうすれば、カードは、主たる用途のほかに、付加的用途を持つことができ、それによって必要に応じて携帯型電子装置の充電ができるようになる。カードは、同じサイズであるが、ユーザが望めば、本発明に従う任意のカードを使用できる。
【００２３】
本発明の１つの目的の実施の形態は、電子装置用の電気エネルギーを送信するシステムを提供する。システムは、電子装置に取り外し可能なように接続されるカード受容器を含み、この受容器は、その内部に太陽電池を含むソーラ・パネルを備えた１又は複数枚のカードを保有することができ、それによってカードがカード受容器内に位置するとき、カードのソーラ・パネルによって集められたエネルギーがカード上の端子を介してカード受容器に送信され、そこから電気エネルギーは、更に受容器に接続されるべき外部装置に送信できる。
【００２４】
別の実施の形態に従えば、カード受容器は、電子装置がカード受容器から切り離された場合、蓄積手段によって電気エネルギーを蓄える。このシステムは、カードを活用することが可能で、それは、更に上述タイプの認証特性又は同等機能に加えてソーラ・パネルを含む。
【００２５】
使用中のカードは、有効期限がある。本発明は、カードがその主たる利用目的を失ったあとでも、カードの利用を可能にする。１つの実施の形態に従えば、本発明に従うカードは、付加的なカードの利用を提供し、そこからＳＩＭモジュールを取り外して移動電話に移し替えることができる。残りのカード・ベースは、本発明に従う付加的用途のために利用できる。本発明は、このように、カードの主たる用途が終了したり、有効期限が切れたりしたあとでも、異なるカードの利用を可能にする。これらは、更に本発明に従う充電目的のために利用される。
【００２６】
本発明は、いくつかの異なる状況および利用目的において、移動型の太陽電気システムの利用を許容する。カード受容器が小型であることから、使い勝手が増大する。本発明のアイデアに従えば、光電子効果に基づく携帯型充電装置を製造することが可能となり、この装置は、例えば、移動電話、ハンドヘルド・コンピュータ、ポータブル・コンピュータおよび携帯型大量メモリ・プレーヤの充電に利用できる。
【００２７】
ここで本発明について、好適な実施の形態と関連付け、添付図面を参照しながら詳細に説明する。
【実施例】
【００２８】
（発明の詳細な説明）
図１Ａから図５Ｂを参照すると、本発明に従うカード１０の複数の実施の形態が示されている。カード１０は、一般に知られているカード・サイズであることが望ましい。カード１０は、クレジット・カード、チャージ・カード、認証カード、スマート・カード、ＳＩＭカード又は他の類似カードである。
【００２９】
図１Ａは、本発明に従うカードの１つの実施の形態を示しており、ここで、データ送信に関して無接触式カードのサポート・ベースが利用されている。カードは、インタフェース手段２１、２２を含み、それに対してカード受容器、例えば、中間ケーブルやカード・ケーシングなどの中間部品をそれ自身の受容器手段を使用して接続できる。データ送信に関して、無接触式カードでは、電気エネルギーの送信を許容するインタフェース手段は、例えば、組織および／又はブランドを表示する識別子（ロゴ）と一緒に配置できる。カードのインタフェース手段は、カードの表面構造の任意のものに配置できる。インタフェース手段２１、２２は、正端子２１および負端子２２の接触面を含む。更に、カードは、太陽電池を含むソーラ・パネル２を含み、これは、上述の配置に従って、カードの全領域又は一部のみを覆うように配置できる。
【００３０】
図１Ｂは、１枚のカードを示しており、ここでインタフェース手段２１、２２は、カードの対向する端部に位置している。このケースで、カード１０は、２つ以上のやり方でカード受容器中に位置することができる。図１Ａおよび１Ｂのインタフェース手段は、対向する辺の同じ地点に位置しているが、異なる地点に位置するようにもできる。これは、カード１０の使用を容易にする。インタフェース手段の受け入れ接触面が異なる地点に位置するカード受容器でカードを使用する場合、インタフェース手段の数およびこれらの位置は、変化する。すなわち、これらのインタフェース手段２１、２２が異なる地点に位置している場合、異なるタイプのカードを１つのカード受容器に受け入れることができる。
【００３１】
図１Ｃは、インタフェース手段２１、２２がカードの両端に位置する、本発明に従うカードの１つの実施の形態を示す。この配置は、カード１０を前よりもより多様なやり方で受容器内に配置することを許容する。図１Ｃのインタフェース手段は、カード端部において、２つが上面に、２つが裏面に位置する正端子２１および負端子２２を含む。１又は複数の正端子２１および負端子２２をカードの端部および異なる地点において側辺に配置できることは、明らかである。
【００３２】
図２Ａは、本発明のカード１０の第２の実施の形態を示す。電気エネルギーを外部に向けて運び出すインタフェース手段の正端子２１および負端子２２は、図の片側の端部に位置しているが、これらは、カードの側端又はそれらの内部に位置することも同様に可能である。インタフェース手段２１、２２は、ここでカード１０のソーラ・パネルと反対の側辺に位置している。すなわち、インタフェース手段２１、２２は、ソーラ・パネルの面積を減らさない。
【００３３】
図２Ｂは、本発明に従うカードの第３の実施の形態を示す。図６は、磁気トラック・カード用のサポート・ベースを利用したカード１０を示す。磁気トラック５０および署名エリア５１は、ここで、認証手段として機能する。ソーラ・パネルは、この実施の形態で反対の側辺にある。電気エネルギーは、カードから、磁気トラック・カードの裏面から運び出される。磁気トラック５０およびエンボス加工された文字は、異なる装置で読み取られ、従ってこれらは、異なる時点に読み取られる。すなわち、磁気トラック５０は、エンボス加工された文字と同じ側辺に位置してよく、そうすれば、反対側の全領域がパネル用に利用できる。図３は、スマート・カードのサポート・ベースを利用した、本発明に従うカード１０の第４の実施の形態を示す。カードの認証手段３は、ここでスマート・チップを含み、これの特性は、カードの主たる利用目的に従って変化する。ソーラ・パネル２は、図３では、認証手段３として機能するスマート・チップの周りに位置している。
【００３４】
図４Ａは、本発明のカードの第５の実施の形態を示す。このカードは、図３に従うカードに類似するが、これの認証手段３は、更に別の認証手段３ａを含んでおり、これは、例えば、ホログラフィ像である。この実施の形態で、カード１０のインタフェース手段２１、２２は、主たる認証手段、すなわちホログラム３ａと一緒に配置されている。主たる認証手段は、セイフティ・スレッド（ｓａｆｅｔｙ  ｔｈｒｅａｄ）（図示されていない）も含む。インタフェース手段は、例えば、組織および／又はブランドを示す識別子（ロゴ）と一緒に配置できる。その意図は、識別子に導電性材料層又は材料を利用することである。図４Ｂは、本発明に従うカードの第６の実施の形態を示す。この実施の形態で、カード１０のインタフェース手段２１、２２は、カードの主たる認証手段、すなわち署名スペース３ｂと一緒に設けられている。
【００３５】
図４Ｃは、本発明に従うカードの第７の実施の形態を示す。この実施の形態で、カード１０のインタフェース手段２１、２２は、カードの主たる認証手段、すなわちエンボス加工された文字３ｃと一緒にカードの反対側の面に設けられている。
【００３６】
図４Ｄは、本発明に従うカードの第８の実施の形態を示す。この実施の形態で、カード１０のインタフェース手段２１、２２は、カードの主たる認証手段、すなわちエンボス加工された文字３ｃと一緒に設けられている。
【００３７】
図４Ｅは、本発明に従うカードの第９の実施の形態を示す。この実施の形態で、カード１０のインタフェース手段２１、２２は、カードの主たる認証手段、すなわち会社ロゴ３ｅと一緒に設けられている。
【００３８】
図４Ｆは、本発明に従うカードの第１０の実施の形態を示す。この実施の形態で、カード１０のインタフェース手段２１、２２は、カードの主たる認証手段、すなわちバー・コード３ｆと一緒に、カードの反対側の側辺に設けられている。
【００３９】
図５Ａは、本発明に従うカードの第１１の実施の形態を示す。図５Ａは、ＳＩＭモジュールのサポート・ベースを利用した、本発明に従うカードの１つの実施の形態を示す。ここで、認証手段３は、ＳＩＭモジュールであるが、これは、端末に使用される他の類似モジュール、例えば、ＵＳＩＭ（汎用加入者識別モジュール）、ＵＩＣＣ（汎用集積回路カード）、ＩＳＩＭ（ＩＰマルチメディア・サービス識別モジュール）、Ｒ−ＵＩＭ（リムーバブル・ユーザ識別モジュール）又はＷ−ＳＩＭ（Ｗｉｌｌｃｏｍ−ＳＩＭ）でも構わない。ＳＩＭモジュールは、通常、それがクレジット・カード・サイズのカード１０上に製造されるのと同じやり方で供給される。認証手段３は、カード１０から取り外されて、移動通信装置などの標的装置に移し替えられる。この実施の形態で、ＳＩＭカードのサポート構造は、ＳＩＭモジュールをサポート構造から取り外したあとも活用される。
【００４０】
図５Ｂは、ＳＩＭモジュール３が取り外されたあとでもインタフェース手段２１、２２がカード１０上に残るように、インタフェース手段２１、２２がＳＩＭモジュール３に隣接して配置されたカード１０を示している。すなわち、インタフェース手段２１、２２は、ＳＩＭモジュールの製造に関して、ＳＩＭモジュールの形成と一緒に導電性材料で形成される。
【００４１】
図６は、本発明に従うカード受容器３０の１つの実施の形態を示す。カード受容器３０は、入力の受容手段２３、２４を含む中間部品であり、このインタフェース・ポイントは、電気エネルギーを外に向かって送信するカードのインタフェース手段２１、２２に適合する。カード受容器３０は、また、電気エネルギーの供給対象である電子標的装置の入力に適合した出力インタフェース・ポイント３１、３２を含む。カード受容器は、受電のオン／オフを切り替えるスイッチ２６を含む。
【００４２】
図７は、本発明に従うカード受容器３０の第２の実施の形態を示す。カード受容器３０は、入力の受容手段２３、２４を含む中間部品であり、このインタフェース・ポイントは、電気エネルギーを外に向かって送信するカードのインタフェース手段２１、２２に適合する。カード受容器３０は、また、電気エネルギーの供給対象である電子標的装置の入力に適合した出力インタフェース・ポイント３１、３２を含む。カード受容器は、カード受容手段２５を含み、これを用いてカードがカード受容器３０に受け入れられる。受容手段２５は、異なるサイズおよび接続方式の受容手段２５を含む。
【００４３】
図８Ａは、本発明のカード受容器３０の第３の実施の形態を示す。カード受容器３０は、ここで電気蓄積を備えた制御ユニット３５を含む。電気蓄積は、例えば、電池３６および／又はキャパシタ３７を含み、これは、中間部品の出力の接触面が電気エネルギーの供給対象である電子標的装置の入力に接続されているかどうかに関わらず充電を行う。カード受容器３０は、１又は複数のパーツを含む。カードの受容パーツは、固定されたパーツであり、これに対して標的装置に適合した接続部品が接続される。このようなケースで、カード受容器は、各種の標的装置を接続するために利用できる。
【００４４】
図８Ｂは、本発明に従うカード受容器３０の第４の実施の形態を示す。カード受容器は、ここで制御ユニット３５を含む。制御ユニット３５を備えたカード受容器１０は、入力の受容手段２３ｂ、２４ｂを含み、これらは、カード・インタフェース手段２１、２２をそれらの極性に関係なくそれらの接触面に受け入れることができる。制御ユニット３５は、受け入れるべきカード・インタフェース手段２１、２２の極性を識別し、これらを標的装置に適合するように切り替える。すなわち、カード受容器３０は、それの＋／−端子がカード上で反対になっているカードも受け入れる。
【００４５】
図９は、システム構成の１つの実施の形態の原理図を示す。カード１０は、カード受容器によって作動する電気装置４０に接続されるまで駆動されない。言い換えると、カード１０は、それ自身の電池を有していないが、カードは、受動的であり、システム・パーツを物理的に結合するか、あるいは、カード受容器中に位置するスイッチを使用することによって動作状態に接続されると駆動される。カード受容器３０は、次に、電池３６および／又はキャパシタを含む電気蓄積を有し、また所望の装置、例えば、移動電話に接続するための別の手段３１、３２を有する。
【００４６】
中間部品３０は、カード１０の出力の接触面に接続される。この接続は、負圧を利用して機械的に、化学的に、磁気的に、あるいは、電気的に行われる。
【００４７】
太陽電池２での光電気効果の結果として発生する電気エネルギーは、カードのインタフェース手段２１、２２を介して中間部品に搬送することができる。
【００４８】
図１０は、カード受容器と電気装置との間の接続の１つの実施の形態を示しており、これは、ワイヤレス接続である。電気エネルギーは、電磁誘導によってワイヤレスで転送される。カード受容器は、電気エネルギーを送信する送信機６５を含む。電気装置は、これに対して、送信機６５によって送信された電気エネルギーを受信する受信機６６を含む。
【００４９】
このように、本発明は、携帯型電子装置の充電を目的として、チャージ・カード、スマート・カード、メモリ・カード又は認証カードの利用を可能にする好適なカード、カード受容器およびシステムを提供する。本発明は、既存のカードを利用し、それによってこれらのカードの主たる利用を妨害したり危うくしたりすることがなく、本発明のカードは、クレジット・カード、ボーナス・カード等のカードが付加的な機能を有することを許容し、この機能によってカードは、それの主たる目的だけでなく、装置のエネルギー消費に依存して充電装置又は電源のいずれかとしても利用できる。
【００５０】
当業者には、明らかなように、技術の進歩とともに、本発明の基本的なアイデアを複数のやり方で実施できる。本発明およびこれの実施の形態は、従って、上述の例に限定されず、請求項の範囲内で多様に変形可能である。
【図面の簡単な説明】
【００５１】
【図１Ａ】本発明に従うカードの１つの実施の形態を示す図。
【図１Ｂ】２つの異なるインタフェース手段を備えた図１Ａのカードを示す図。
【図１Ｃ】２つの異なるインタフェース手段を備えた図１Ａに従うカードを示す図。
【図２Ａ】本発明に従うカードの第２の実施の形態を示す図。
【図２Ｂ】本発明に従うカードの第３の実施の形態を示す図。
【図３】本発明に従うカードの第４の実施の形態を示す図。
【図４Ａ】本発明に従うカードの第５の実施の形態を示す図。
【図４Ｂ】本発明に従うカードの第６の実施の形態を示す図。
【図４Ｃ】本発明に従うカードの第７の実施の形態を示す図。
【図４Ｄ】本発明に従うカードの第８の実施の形態を示す図。
【図４Ｅ】本発明に従うカードの第９の実施の形態を示す図。
【図４Ｆ】本発明に従うカードの第１０の実施の形態を示す図。
【図５Ａ】本発明に従うカードの第１１の実施の形態を示す図。
【図５Ｂ】インタフェース手段がＳＩＭモジュールの側辺に位置する、図５Ａに従うカードを示す図。
【図６】本発明に従うカード受容器の１つの実施の形態を示す図。
【図７】本発明に従うカード受容器の第２の実施の形態を示す図。
【図８Ａ】本発明に従うカード受容器の第３の実施の形態を示す図。
【図８Ｂ】本発明に従うカード受容器の第４の実施の形態を示す図。
【図９】システム構成の１つの実施の形態の原理を示す図。
【図１０】カード受容器と電気装置との間の接続の１つの実施の形態を示す図。
【図１Ａ】
2009512005.tif 000003
【図１Ｂ】
2009512005.tif 000004
【図１Ｃ】
2009512005.tif 000005
【図２Ａ】
2009512005.tif 000006
【図２Ｂ】
2009512005.tif 000007
【図３】
2009512005.tif 000008
【図４Ａ】
2009512005.tif 000009
【図４Ｂ】
2009512005.tif 000010
【図４Ｃ】
2009512005.tif 000011
【図４Ｄ】
2009512005.tif 000012
【図４Ｅ】
2009512005.tif 000013
【図４Ｆ】
2009512005.tif 000014
【図５Ａ】
2009512005.tif 000015
【図５Ｂ】
2009512005.tif 000016
【図６】
2009512005.tif 000017
【図７】
2009512005.tif 000018
【図８Ａ】
2009512005.tif 000019
【図８Ｂ】
2009512005.tif 000020
【図９】
2009512005.tif 000021
【図１０】
2009512005.tif 000022
【国際調査報告】
2009512005.tif 000023
2009512005.tif 000024
2009512005.tif 000025
2009512005.tif 000026